(57)【要約】【課題】関連する技術は、通話先の携帯電話機が話中の場合、タイマー処理で一定時間携帯電話機の発信が制限されるが、通話先の携帯電話機が通話を終了しても上記の時間内は発信が制限されるという課題がある。【解決手段】本発明にかかる通信システムは、複数の通信端末と、前記通信端末と無線通信可能な固定局とを備える。そして、前記通信端末は、当該通信端末の通信先が通信不可能な場合には発信制限を実行し、前記固定局から前記通信先が通信不可能な状態から通信可能な状態に遷移したことを示す通信可能通知を受信した場合には前記発信制御を解除し、前記固定局は、前記通信先が通信不可能な状態から通信可能な状態に遷移した場合には、前記通信可能通知を前記通信端末に対して送信する。【選択図】図１
2014121002.tif 000002
【特許請求の範囲】
【請求項１】
複数の通信端末と、前記通信端末と無線通信可能な固定局とを備えた通信システムであって、
前記通信端末は、
当該通信端末の通信先が通信不可能な場合には発信制限を実行し、前記固定局から前記通信先が通信不可能な状態から通信可能な状態に遷移したことを示す通信可能通知を受信した場合には前記発信制御を解除し、
前記固定局は、
前記通信先が通信不可能な状態から通信可能な状態に遷移した場合には、前記通信可能通知を前記通信端末に対して送信する、
通信システム。
【請求項２】
前記通信端末は、前記発信制限の実行開始から予め定められた時間経過後に、前記発信制限を解除する、
請求項１記載の通信システム。
【請求項３】
前記固定局は、前記通信端末の通信先が通信不可能な場合に、当該通信不可能であることを示す通信不可通知を当該通信端末に対して送信し、
前記通信端末は、前記通信不可通知を受信した場合に、前記発信制限を実行する、
請求項１又は２記載の通信システム。
【請求項４】
前記通信不可能な状態は、前記通信先が話中状態か又は圏外状態である、
請求項１〜３いずれかに記載の通信システム。
【請求項５】
固定局との間で無線通信を行う通信端末であって、
通信先が通信不可能な場合には発信制限を実行する手段と、
前記固定局から前記通信先が通信不可能な状態から通信可能な状態に遷移したことを示す通信可能通知を受信した場合には前記発信制御を解除する手段を備えた、
通信端末。
【請求項６】
前記発信制限の実行開始後、予め定められた時間経過後に、前記発信制限を解除する手段をさらに備えた、
請求項５記載の通信端末。
【請求項７】
複数の通信端末と無線通信可能な固定局であって、
発信制限中の前記通信端末の通信先が、通信不可能な状態から通信可能な状態に遷移した場合に、通信可能通知を通信元の通信端末に対して送信する、
固定局。
【請求項８】
固定局は、当該固定局と通信可能な通信端末の通信先が通信不可能な状態から通信可能な状態に遷移したことを示す通信可能通知を送信し、
前記通信端末は、当該通信可能通知を受信して、発信制限を解除する、
通信制御方法。
【請求項９】
通信先が通信不可能な場合には発信制限を実行し、
前記固定局から前記通信先が通信不可能な状態から通信可能な状態に遷移したことを示す通信可能通知を受信した場合には前記発信制御を解除する、
処理を通信端末に実行させるプログラム。
【請求項１０】
発信制限中の通信端末の通信先が、通信不可能な状態から通信可能な状態に遷移した場合に、通信可能通知を通信元の通信端末に対して送信する、
処理を固定局に実行させるプログラム。
【発明の詳細な説明】
【技術分野】
【０００１】
本発明は通信システム、通信端末、固定局、通信制御方法、及びプログラムに関する。
【背景技術】
【０００２】
現在の携帯電話システムは、着信相手先の携帯電話機が通話中、または圏外の場合でも、発信側の携帯電話機で発信をすると、必ず基地局との通信を行なうため、携帯電話機と基地局との間の無線回線を無駄に使用するという問題がある。
特許文献１は、通話先の携帯電話機が話中の場合、タイマー処理により一定時間発信側の携帯電話機の再発呼を規制する方法を提示している。しかし、通話先の携帯電話機が通話を終了した場合でも、タイマーで定めた時間内は発信側の携帯電話機から発信できないという課題がある。
【先行技術文献】
【特許文献】
【０００３】
【特許文献１】特開平９−２８９５４０号公報
【発明の概要】
【発明が解決しようとする課題】
【０００４】
上述のように、関連する技術は、通話先の携帯電話機が話中の場合、タイマー処理で一定時間携帯電話機の発信が制限されるが、通話先の携帯電話機が通話を終了しても上記の時間内は発信が制限されるという課題がある。
本発明は、通信端末と固定局との間の無線回線を効率的に使用し、かつ通信端末の利便性を向上させることが可能な通信システム、通信端末、固定局、通信制御方法、及びプログラムを提供することを目的とする。
【課題を解決するための手段】
【０００５】
一態様にかかる通信システムは、
複数の通信端末と、前記通信端末と無線通信可能な固定局とを備える。そして、
前記通信端末は、
当該通信端末の通信先が通信不可能な場合には発信制限を実行し、前記固定局から前記通信先が通信不可能な状態から通信可能な状態に遷移したことを示す通信可能通知を受信した場合には前記発信制御を解除し、
前記固定局は、
前記通信先が通信不可能な状態から通信可能な状態に遷移した場合には、前記通信可能通知を前記通信端末に対して送信する。
【０００６】
一態様にかかる通信端末は、
固定局との間で無線通信を行う。そして、
通信先が通信不可能な場合には発信制限を実行する手段と、
前記固定局から前記通信先が通信不可能な状態から通信可能な状態に遷移したことを示す通信可能通知を受信した場合には前記発信制御を解除する手段を備える。
【０００７】
一態様にかかる固定局は、
複数の通信端末と無線通信可能である。そして、
発信制限中の前記通信端末の通信先が、通信不可能な状態から通信可能な状態に遷移した場合に、通信可能通知を通信元の通信端末に対して送信する。
【０００８】
一態様にかかる通信制御方法は、
固定局は、当該固定局と通信可能な通信端末の通信先が通信不可能な状態から通信可能な状態に遷移したことを示す通信可能通知を送信し、
前記通信端末は、当該通信可能通知を受信して、発信制限を解除する。
【０００９】
一態様にかかるプログラムは、
通信先が通信不可能な場合には発信制限を実行し、
前記固定局から前記通信先が通信不可能な状態から通信可能な状態に遷移したことを示す通信可能通知を受信した場合には前記発信制御を解除する、
処理を通信端末に実行させる。
【００１０】
一態様にかかるプログラムは、
発信制限中の通信端末の通信先が、通信不可能な状態から通信可能な状態に遷移した場合に、通信可能通知を通信元の通信端末に対して送信する、
処理を固定局に実行させる。
【発明の効果】
【００１１】
本発明によれば、通信端末と固定局との間の無線回線を効率的に使用し、かつ通信端末の利便性を向上させることが可能な通信システム、通信端末、固定局、通信制御方法、及びプログラムを提供することができる。
【図面の簡単な説明】
【００１２】
【図１】本発明の実施の形態にかかる通信システムの構成の図である。
【図２】本発明の実施の形態にかかる携帯電話機（端末）の構成を示す図である。
【図３】本発明の実施の形態にかかる携帯電話機（端末）によって処理されるデータを示す図である。
【図４】本発明の実施の形態にかかる通信システムの通信処理方法を示すフローチャートである。
【図５】本発明の実施の形態にかかる通信システムにおける処理を示すフローチャートである。
【図６】本発明の実施の形態にかかる通信システムにおける処理を示すフローチャートである。
【発明を実施するための形態】
【００１３】
図１は、本発明の実施の形態の通信システムの構成を示している。通信システム２０は、固定局１と、携帯電話機（端末）５、６を備える。
固定局１は、ホームメモリ（通信記録装置）２、交換局３、基地局４を備えている。
ホームメモリ２は、図３に示すように携帯電話機６の通信、および在圏状態を示すフラグを記憶している。図１によると、ホームメモリ２は、交換局３の外部に接続しているが、交換局３の内部に設置し交換局３にその機能を持たせてもよい。交換局３は携帯電話機５、６の呼処理を行う。基地局４は、携帯電話機５、６との無線回線の通信を行う。
【００１４】
図２は、携帯電話機５の構成を示している。携帯電話機５は、無線機１０、ＣＰＵ１１、メモリ（記憶媒体）１２を備える。
無線機１０は、基地局４からの信号の受信、及び基地局４への信号の送信を行う。携帯電話機５は携帯電話機６との通信を開始する際、交換局３から基地局４を通じて携帯電話機６が通信中、または圏外であることが通知されると、ＣＰＵ１１を介してメモリ１２へ通信、および圏外の状態を記憶する。
【００１５】
図３は、メモリ１２に記憶する携帯電話機６のデータを示している。メモリ１２は、携帯電話機６の電話番号、通信状態および在圏状態を記憶している。通信状態の初期値は"通信可能"、在圏状態の初期値は"在圏"になっている。
これ以外の携帯電話機の構成要素であるディスプレイ、バッテリ、外部コネクタなどは、一般的技術であり、本実施の形態とは直接関係しないので、その詳細な構成は省略する。
【００１６】
処理の説明
次に図１及び図２の処理方法を図４に示すフローチャートを使用して説明する。
携帯電話機５は、携帯電話機６との通信を開始する（Ｓ１００）。携帯電話機５は、ＣＰＵ１１からメモリ１２内の携帯電話機６の通信状態を確認し、通信中の場合は発信処置を中止する（Ｓ１０１：Ｙ）。携帯電話機５は、携帯電話機６の通信状態が通信中でない場合（Ｓ１０１：Ｎ）、メモリ１２内の携帯電話機６の在圏状態を確認し、圏外の場合は発信処理を中止する（Ｓ１０２：Ｙ）。携帯電話機５は、携帯電話機６が圏外でない場合（Ｓ１０２：Ｎ）、基地局４に対して携帯電話機６の呼び出しを要求する（Ｓ１０３）。
【００１７】
基地局４は、携帯電話機５から携帯電話機６の呼び出し要求を受信し、携帯電話機６の呼び出しを交換局３へ要求する。交換局３は、携帯電話機６の呼び出し要求を受信し、ホームメモリ２から携帯電話機６の情報を取得し（Ｓ１０４）、携帯電話機６の通信状態を確認する（Ｓ１０５）。交換局３は、携帯電話機６が通信中の場合（Ｓ１０５：Ｎ）、基地局４を介して、携帯電話機５へ携帯電話機６が通信中であることを通知する。この通知が、通信端末の通信先が通信不可能な場合に、通信不可能であることを示す通信不可通知である。携帯電話機６が通信中であることを通知された携帯電話機５は、メモリ１２内の図３に示す携帯電話機６の通信状態を"通信中"にする（Ｓ１０６）。
【００１８】
交換局３は、ホームメモリ２の携帯電話機６の情報が通信中でない場合（Ｓ１０５：Ｙ）、基地局４を介して、携帯電話機６を呼び出す（Ｓ１０７）。呼び出しを受けた携帯電話機６では、呼び出しの応答を基地局４に対して返す。
基地局４は、携帯電話機６の呼び出しの応答を受信し、交換局３に携帯電話機６の呼び出しの応答があったことを通知する。交換局３は、携帯電話機６の呼び出しの応答を受信する（Ｓ１０８）。交換局３は、基地局４を介して携帯電話機５に対し、携帯電話機６が応答したことを通知する（Ｓ１０８：Ｙ）。交換局３は、携帯電話機５と携帯電話機６を接続し、通信が開始される（Ｓ１０９）。
【００１９】
交換局３から携帯電話機６を呼び出した際、携帯電話機６からの応答が無い場合（Ｓ１０８：Ｎ）、交換局３は、携帯電話機６が圏外と判断する（Ｓ１１０：Ｙ）。交換局３は、基地局４を介して携帯電話機５へ携帯電話機６が圏外であることを通知する。携帯電話機５は、携帯電話機６が圏外であることを通知され、メモリ１２内の携帯電話機６の在圏状態を"圏外"にする（Ｓ１１１）。
【００２０】
図５は、通信システム２０の、携帯電話機６が通話中、又は圏外と判断された場合の処理を示している。携帯電話機５以外と通信中だった携帯電話機６の通信が終了した際、交換局３は基地局４を介して携帯電話機５へ携帯電話機６の通信が終了したことを通知する（Ｓ２００）。この通知が、通信先が通信不可能な状態から通信可能な状態に遷移したことを示す通信可能通知である。携帯電話機５は、携帯電話機６の通信が終了した通知を受け、メモリ１２内の図３に示す携帯電話機６の通信状態を"通信可能"にする（Ｓ２０１）。
【００２１】
また、携帯電話機６は、圏外から在圏状態になると、交換局３に在圏状態になったことを通知する。交換局３は、携帯電話機６が在圏状態になったことを知ると、基地局４を介して携帯電話機５へ携帯電話機６が在圏状態になったことを通知する（Ｓ２０２）。携帯電話機５は、携帯電話機６が在圏状態になった通知を受け、メモリ１２内の携帯電話機６の在圏状態を"在圏"にする（Ｓ２０３）。
【００２２】
上記の通り、携帯電話機が通信を開始する際、着信側の携帯電話機が通信中、または圏外などで通信が出来ない場合、着信側の携帯電話機の通話が終了、若しくは在圏するまで、発信側の携帯電話機からの再発信を禁止することで、不要な無線回線の使用を制限することが可能となる。
【００２３】
発明の他の実施の形態
発信側の携帯電話機に記憶している着信側の携帯電話機の情報が実際の状態と不一致となる場合がある。そうすると、携帯電話機５は携帯電話機６に対して永遠に発信ができなくなる状態になる可能性がある。そのような状態を回避するため、一定時間が経過すると着信側の情報を初期状態へ戻すという処理を以下で示す。
着信側の情報を初期状態へ戻す処理について、図６のフローチャートを用いて説明する。
【００２４】
携帯電話機５は、携帯電話機６との通信を開始する（Ｓ３００）。携帯電話機５は、ＣＰＵ１１からメモリ１２内の図３に示す携帯電話機６の通信状態を確認する（Ｓ３０１）。携帯電話機５は、携帯電話機６の通信状態が通信中でない場合、メモリ１２内の携帯電話機６の在圏状態を確認する（Ｓ３０２）。携帯電話機５は、携帯電話機６の在圏状態が圏外でない場合、携帯電話機６の呼び出し処理を行なう（Ｓ３０３）。
【００２５】
携帯電話機５は、メモリ１２内の携帯電話機６の通信状態が通信中、または在圏状態が圏外の場合、ＣＰＵ１１にて初回の携帯電話機６への発信処理からの時間を測定するタイマーがスタートしているか確認する（Ｓ３０４）。
【００２６】
携帯電話機５は、タイマーがスタートしていない場合、タイマーをスタートする（Ｓ３０５）。携帯電話機５は、初回の携帯電話機６への発信処理からの時間を測定するタイマーがタイムアウトした場合（Ｓ３０６）、メモリ１２内の携帯電話機６の通信状態を"通信可能"に、在圏状態を"在圏"に更新し、タイマーをストップする（Ｓ３０７）。
【００２７】
上記の方法を用いると、通信システム２０は、発信元の携帯電話機に記憶した発信相手先の通信状態、および在圏状態を一定時間経過後に初期値へ戻すため、発信元の携帯電話機に記憶した発信相手先の通信状態、および在圏状態の情報が実際の状態と不一致となった場合、永遠に発信ができなくなる状態を回避できる。
【００２８】
その他の実施の形態
上記で説明した通信方法は、ＡＳＩＣ（Application Specific Integrated Circuit）を含む半導体処理装置を用いて実現されてもよい。また、これらの処理は、少なくとも１つのプロセッサ（e.g. マイクロプロセッサ、ＭＰＵ、ＤＳＰ（Digital Signal Processor））を含むコンピュータシステムにプログラムを実行させることによって実現されてもよい。具体的には、これらの送信信号処理又は受信信号処理に関するアルゴリズムをコンピュータシステムに行わせるための命令群を含む１又は複数のプログラムを作成し、当該プログラムをコンピュータに供給すればよい。
【００２９】
これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００３０】
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００３１】
なお、本発明は上記実施の形態に限られたものではなく、趣旨を逸脱しない範囲で適宜変更することが可能である。例えば、有線の電話機システムや、内線電話システムに用いてもよい。
【００３２】
さらに、上述した実施の形態は本件発明者により得られた技術思想の適用に関する例に過ぎない。すなわち、当該技術思想は、上述した実施の形態のみに限定されるものではなく、種々の変更が可能であることは勿論である。
【００３３】
例えば、上記の実施形態の一部又は全部は、以下の付記のようにも記載されうるが、以下には限られない。
（付記１）
複数の通信端末と、前記通信端末と無線通信可能な固定局とを備えた通信システムであって、
前記通信端末は、
当該通信端末の通信先が通信不可能な場合には発信制限を実行し、前記固定局から前記通信先が通信不可能な状態から通信可能な状態に遷移したことを示す通信可能通知を受信した場合には前記発信制御を解除し、
前記固定局は、
前記通信先が通信不可能な状態から通信可能な状態に遷移した場合には、前記通信可能通知を前記通信端末に対して送信する、
通信システム。
（付記２）
前記通信端末は、前記発信制限の実行開始から予め定められた時間経過後に、前記発信制限を解除する、
付記１記載の通信システム。
（付記３）
前記固定局は、前記通信端末の通信先が通信不可能な場合に、当該通信不可能であることを示す通信不可通知を当該通信端末に対して送信し、
前記通信端末は、前記通信不可通知を受信した場合に、前記発信制限を実行する、
付記１又は２記載の通信システム。
（付記４）
前記通信不可能な状態は、前記通信先が話中状態か又は圏外状態である、
付記１〜３いずれかに記載の通信システム。
（付記５）
固定局との間で無線通信を行う通信端末であって、
通信先が通信不可能な場合には発信制限を実行する手段と、
前記固定局から前記通信先が通信不可能な状態から通信可能な状態に遷移したことを示す通信可能通知を受信した場合には前記発信制御を解除する手段を備えた、
通信端末。
（付記６）
前記発信制限の実行開始後、予め定められた時間経過後に、前記発信制限を解除する手段をさらに備えた、
付記５記載の通信端末。
（付記７）
前記固定局から前記通信端末の通信先が通信不可能であることを示す通信不可通知を受信した場合に、前記発信制限を実行する、
付記５又は６記載の通信端末。
（付記８）
前記通信不可能な状態は、前記通信先が話中状態か又は圏外状態である、
付記５〜７いずれかに記載の通信端末。
（付記９）
複数の通信端末と無線通信可能な固定局であって、
発信制限中の前記通信端末の通信先が、通信不可能な状態から通信可能な状態に遷移した場合に、通信可能通知を通信元の通信端末に対して送信する、
固定局。
（付記１０）
前記通信端末の通信先が通信不可能な場合に、当該通信不可能であることを示す通信不可通知を当該通信端末に対して送信する、
付記９記載の固定局。
（付記１１）
前記通信不可能な状態は、前記通信先が話中状態か又は圏外状態である、
付記９又は１０に記載の固定局。
（付記１２）
固定局は、当該固定局と通信可能な通信端末の通信先が通信不可能な状態から通信可能な状態に遷移したことを示す通信可能通知を送信し、
前記通信端末は、当該通信可能通知を受信して、発信制限を解除する、
通信制御方法。
（付記１３）
前記固定局は、前記通信端末の通信先が通信不可能な場合に、当該通信不可能であることを示す通信不可通知を当該通信端末に対して送信し、
前記通信端末は、前記通信不可通知を受信した場合に、前記発信制限を実行する、
付記１２記載の通信制御方法。
（付記１４）
通信先が通信不可能な場合には発信制限を実行し、
前記固定局から前記通信先が通信不可能な状態から通信可能な状態に遷移したことを示す通信可能通知を受信した場合には前記発信制御を解除する、
通信端末における通信制御方法。
（付記１５）
前記通信端末は、前記発信制限の実行開始から予め定められた時間経過後に、前記発信制限を解除する、
付記１２〜１４いずれかに記載の通信制御方法。
（付記１６）
発信制限中の通信端末の通信先が、通信不可能な状態から通信可能な状態に遷移した場合に、通信可能通知を通信元の通信端末に対して送信する、
固定局における通信制御方法。
（付記１７）
前記通信不可能な状態は、前記通信先が話中状態か又は圏外状態である、
付記１２〜１６いずれかに記載の通信制御方法。
（付記１８）
通信先が通信不可能な場合には発信制限を実行し、
前記固定局から前記通信先が通信不可能な状態から通信可能な状態に遷移したことを示す通信可能通知を受信した場合には前記発信制御を解除する、
処理を通信端末に実行させるプログラム。
（付記１９）
発信制限中の通信端末の通信先が、通信不可能な状態から通信可能な状態に遷移した場合に、通信可能通知を通信元の通信端末に対して送信する、
処理を固定局に実行させるプログラム。
【符号の説明】
【００３４】
１  固定局
２  ホームメモリ（通信記録装置）
３  交換局
４  基地局
５  携帯電話機（端末）
６  携帯電話機（端末）
１０  無線機
１１  ＣＰＵ
１２  メモリ（記憶媒体）
２０  通信システム
【図１】
2014121002.tif 000003
【図２】
2014121002.tif 000004
【図３】
2014121002.tif 000005
【図４】
2014121002.tif 000006
【図５】
2014121002.tif 000007
【図６】
2014121002.tif 000008